(57)【要約】      （修正有）【課題】異種流体を別々の容器に貯蔵した後の使用時に簡単な操作で混合することができる化粧料混合用主容器、化粧料混合用補助容器およびこれらを含む化粧品を提供する。【解決手段】一側面によると、第１流体が貯蔵され、流体が混合され得る第１貯蔵空間を備える第１容器１００と、第１容器に貯蔵されている流体を外部に吐出する吐出部２００と、第１容器に結合可能で、貯蔵されている第２流体を第１貯蔵空間に排出し得る第２容器３００とを含み、第２容器は、第２流体を貯蔵している貯蔵状態と、第２流体を排出し得る開放状態とを有し、吐出部が第１容器に結合されることにより、第２容器の貯蔵状態から開放状態に切り替えられ、第２容器が開放状態に切り替えられることにより、第２流体は第１貯蔵空間に排出され、第１流体と混合される化粧品。【選択図】図２
2020093105.tif 000002
【特許請求の範囲】
【請求項１】
第１流体が貯蔵され、流体が混合され得る第１貯蔵空間を備える第１容器と、
前記第１容器に貯蔵されている流体を外部に吐出する吐出部と、
前記第１容器に結合可能で、貯蔵されている第２流体を前記第１貯蔵空間に排出し得る第２容器とを含み、
前記第２容器は、前記第２流体を貯蔵している貯蔵状態と、前記第２流体を排出し得る開放状態とを有し得、
前記吐出部が前記第１容器に結合されることによって、前記第２容器は前記貯蔵状態から前記開放状態に切り替えられ、
前記第２容器が前記開放状態に切り替えられることにより、前記第２流体は前記第１貯蔵空間に排出され前記第１流体と混合される化粧品。
【請求項２】
前記第２容器は、
前記第２流体を貯蔵し得る第２貯蔵空間を備えるための外部ハウジングと、
前記外部ハウジングと離隔して配置される内部ハウジングと、
前記内部ハウジングの下側に備えられ、前記外部ハウジングの下側を密閉する第１栓とを含み、
前記内部ハウジングが前記吐出部によって加圧されることにより、前記第１栓は前記外部ハウジングの下側を開放する、請求項１に記載の化粧品。
【請求項３】
前記第２容器は、
前記第２流体を貯蔵し得る第２貯蔵空間を備えるための外部ハウジングと、
前記外部ハウジングの内側に備えられ、前記外部ハウジングに対して相対移動可能な内部ハウジングとを含み、
前記外部ハウジングの上側外側には凸部が備えられ、
前記第１容器の上側には、前記凸部がかかる第１係止顎が備えられ、
前記内部ハウジングは、前記凸部が前記第１係止顎にかかった状態で、前記吐出部によって加圧され前記外部ハウジングに対して下方に相対移動される、請求項１に記載の化粧品。
【請求項４】
前記内部ハウジングは、
前記吐出部と連結される連結部と、
前記吐出部がかかる第２係止顎とを含み、
前記連結部と前記第２係止顎とが前記吐出部によって加圧されることにより、前記第１栓は前記外部ハウジングの下側を開放する、請求項２に記載の化粧品。
【請求項５】
前記第１貯蔵空間に混合されている前記第１流体と前記第２流体とは、前記第２容器の一部を通過して外部に排出される、請求項１に記載の化粧品。
【請求項６】
前記内部ハウジングは、
前記吐出部と連結されて浸漬管（dip tube）の役割をするように内部が中空の形で備えられる、請求項２に記載の化粧品。
【請求項７】
前記第２容器は、
前記内部ハウジングの上側に備えられ、前記外部ハウジングの上側を密閉する第２栓をさらに含む、請求項２に記載の化粧品。
【請求項８】
前記第２栓は、前記第２容器の内部ハウジングと固定されるように備えられ、
前記第２容器の前記貯蔵状態から前記開放状態に切り替えられる間、前記内部ハウジングに固定された前記第２栓は前記外部ハウジングに対してスライド移動される、請求項７に記載の化粧品。
【請求項９】
前記第１栓は、前記第２容器の内部ハウジングと固定されるように備えられ、
前記吐出部が前記第１容器に結合されることによって、前記第１栓は、前記第１貯蔵空間の下側に位置される、請求項２に記載の化粧品。
【請求項１０】
前記第２栓は、前記外部ハウジングによってガイドされる外表面を含み、
前記外表面が前記外部ハウジングによってガイドされることにより、前記内部ハウジングは前記外部ハウジングと平行して相対移動される、請求項７に記載の化粧品。
【請求項１１】
前記第１容器と前記第２容器とは透明な素材で形成される、請求項１に記載の化粧品。
【請求項１２】
前記吐出部は、
前記第１流体と前記第２流体とが混合された流体をポンピングする圧力を生成するポンプ部と、
前記第２容器と結合される連結表面とを含み、
ユーザのプッシュ動作によるポンプ部の前記圧力によって、前記第１貯蔵空間に混合されている前記第１流体と前記第２流体とは前記吐出部の外部に吐出される、請求項１に記載の化粧品。
【請求項１３】
前記第１容器に対して相対回転可能に備えられる回転部と、
前記第１容器の内側に配置され、前記回転部の回転により前記流体が混合され得る空間内で回転軸線を中心に回転し、前記空間の一方から他方まで前記回転軸線の周りに沿って螺旋状に延長される１つ以上の翼を含む翼部とを含み、
前記翼部の回転により前記第１流体と前記第２流体との混合が促される、請求項１に記載の化粧品。
【請求項１４】
前記翼部は、
前記回転部の回転力の伝達を受け回転中心として機能する中心部と、
前記第２容器の周りを包み込む形状に形成される第２容器挿入部とを含み、
前記翼は、前記第２容器挿入部の周りに配置され、
前記第２容器が前記第１容器に結合する際、前記第２容器は前記第２容器挿入部によってガイドされ移動される、請求項１３に記載の化粧品。
【請求項１５】
前記翼部は、
前記中心部に連結され、板状を有し、前記第１貯蔵空間の一方に配置される第１プレートと、
前記第２容器挿入部に連結され、板状を有し、前記第１貯蔵空間の他方に配置される第２プレートとを含み、
前記翼の一方は前記第１プレートに連結され、他方は前記第２プレートに連結され、
前記翼は、前記第１プレートと前記第２プレートとの間で連続する形状を有する、請求項１４に記載の化粧品。
【請求項１６】
前記第１容器の一方には、前記回転部の回転を前記翼部に伝達する動力伝達部が備えられる、請求項１３に記載の化粧品。
【請求項１７】
化粧料混合用補助容器が結合され得、化粧料の混合空間を備える第１容器と、
前記混合空間に貯蔵されている流体を外部に吐出する吐出部とを含む化粧料混合用主容器。
【請求項１８】
前記第１容器に対して相対回転可能に備えられる回転部と、
前記第１容器の内側に配置され、前記回転部の回転により前記流体が混合され得る空間内で回転軸線を中心に回転し、前記空間の一方から他方まで前記回転軸線の周りに沿って螺旋状に延長される１つ以上の翼を含む翼部とを含む、請求項１７に記載の化粧料混合用主容器。
【請求項１９】
化粧料の混合空間を備える混合用主容器に結合され、化粧料を貯蔵している外部ハウジングと、
外力によって前記外部ハウジングに対して相対移動可能であり、前記混合空間に貯蔵されている流体を移動させる通路の役割をし得る内部ハウジングと、
前記内部ハウジングの下側に備えられ、前記外部ハウジングの下側を密閉する第１栓と、
前記内部ハウジングの上側に備えられ、前記外部ハウジングの上側を密閉する第２栓とを含み、
前記外力によって前記内部ハウジングが下方に移動することにより、前記第１栓は前記外部ハウジングを開放する、化粧料混合用補助容器。
【請求項２０】
前記内部ハウジングは、
前記混合用主容器に結合され、前記混合空間に貯蔵されている流体を移動させるよう内部が中空の形で備えられる、請求項１９に記載の化粧料混合用補助容器。
【発明の詳細な説明】
【技術分野】
【０００１】
本発明は、化粧料混合用主容器、化粧料混合用補助容器およびこれらを含む化粧品に関するものである。
【背景技術】
【０００２】
最近美肌効果を高めるために、異なる特性を有する化粧品原料を混合して使用する化粧品が発売されている。その例として、異なる特性を有する化粧品原料が一つの容器に予め混合されていたり、または異なる特性を有する化粧品原料がそれぞれの容器に貯蔵された後、使用時にユーザによって直接混合される化粧品がある。
【０００３】
異なる特性を有する化粧品原料が予め混合され流通される場合、化粧料の成分間の化学反応により美容効果が減少したり、化粧品が変質したりする問題がある。
【０００４】
また、異なる特性を有する化粧品原料が予め混合される場合、比重を異にする原料が均一に混合されない問題がある。このような問題点を解決するために、互いに異なる特性を有する化粧料、または互いに異なる剤型を有する化粧料を互いに混合して使用することができる、様々な化粧品が提案されている。一例として、特許文献１では、上下方向に離隔して配置された複数の撹拌翼が回転軸を中心に回転して化粧料を混合できる容器が提案されている。
【０００５】
ところで、このような容器は、一つの容器の中に貯蔵されている混合化粧料を撹拌することに焦点を当てているのみ、二つの容器に別々に化粧料を貯蔵した後、別途貯蔵されている化粧料を混合する機能は提供していない。
【０００６】
また、このような容器は、撹拌翼が上下方向に離隔されているため、撹拌翼との衝突作用がなく周辺流動による影響で間接的に撹拌される領域が存在する。また、回転軸の上端部と下端部には撹拌翼が形成され難いので、この部分にも周辺流動による影響で間接的に撹拌される領域が形成されざるを得ない。これにより、容器の全体的な部分において内容物が十分な撹拌が行われ難いか、または十分な撹拌のためには多くの回転が必要であるという問題がある。
【０００７】
また、前記のような撹拌翼の配置構造とともに、撹拌翼の半径方向端部が容器の内側壁面と離隔して配置されることにより、容器の内側壁面に付着している化粧料が撹拌されずに残留するという問題がある。このような流体混合機能を有する容器は、混合機能を消費者にアピールするために透明な素材で形成されるのが一般的だが、透明な容器の内壁に化粧料が混合されずに付着しているのは、デザイン上のマイナス要因である。特に、粘性の高い化粧料が使用されると、このような欠点はさらに浮き彫りとなる。
【０００８】
また、従来のこのような構造は、中央の回転軸に撹拌翼が固定されているので、ポンプを使用する容器、特に浸漬管（容器の底付近まで延びているチューブ）とポンプがともに使用される容器には、撹拌翼が適用不可能であるという問題がある。
【０００９】
また、互いに異なる特性を有する化粧品原料をそれぞれの容器に貯蔵した後、これらを使用する際にユーザが直接手作業で混合すると、使用上の不便をもたらすという問題がある。ユーザが直接手作業で混合するので、互いに異なる特性を有する原料が均一に混合されないという問題がある。
【先行技術文献】
【特許文献】
【００１０】
【特許文献１】韓国登録実用新案第２０−０４６４６４５号明細書
【発明の概要】
【発明が解決しようとする課題】
【００１１】
本発明の実施例は、前記のような問題を解決するために提案されたものであり、異種流体を別々の容器に貯蔵した後の使用時に簡単な操作で混合することができる化粧料混合用主容器、化粧料混合用補助容器およびこれらを含む化粧品を提供することとする。
【００１２】
また、ユーザの好みに応じた多数の化粧品原料を選択した後、これらを混合することができる化粧料混合用主容器、化粧料混合用補助容器、およびこれらを含む化粧品を提供することとする。
【００１３】
また、新鮮な化粧品を使用する消費者の欲求を満たせる化粧料混合用主容器、化粧料混合用補助容器、およびこれらを含む化粧品を提供することとする。
【００１４】
また、簡単な操作で、化粧品の原料が補充可能な化粧料混合用主容器、化粧料混合用補助容器、およびこれらを含む化粧品を提供することとする。
【課題を解決するための手段】
【００１５】
本発明の一実施例によると、第１流体が貯蔵され、流体が混合され得る第１貯蔵空間を備える第１容器と、前記第１容器に貯蔵されている流体を外部に吐出する吐出部と、前記第１容器に結合可能で、貯蔵されていた第２流体を前記第１貯蔵空間に排出し得る第２容器とを含み、前記第２容器は前記第２流体を貯蔵している貯蔵状態と、前記第２流体を排出し得る開放状態とを有することができ、前記吐出部が前記第１容器に結合されることにより、前記第２容器の前記貯蔵状態から前記開放状態に切り替えられ、前記第２容器が前記開放状態に切り替えられることにより、前記第２流体は前記第１貯蔵空間に排出され、前記第１流体と混合される化粧品が提供され得る。
【００１６】
本発明の一実施例によると、前記第２容器は、前記第２流体を貯蔵し得る第２貯蔵空間を備えるための外部ハウジングと、前記外部ハウジングと離隔して配置された内部ハウジングと、前記内部ハウジングの下側に提供され、前記外部ハウジングの下側を密閉する第１栓とを含み、前記内部ハウジングが前記吐出部によって加圧されることにより、前記第１栓は前記外部ハウジングの下側を開放する化粧品が提供され得る。
【００１７】
本発明の一実施例によると、前記第２容器は、第２流体を貯蔵し得る第２貯蔵空間を備えるための外部ハウジングと、前記外部ハウジングの内側に備えられ、前記外部ハウジングに対して相対移動可能な内部ハウジングとを含み、前記外部ハウジング上側の外側には凸部が備えられ、前記第１容器の上側には前記凸部がかかる第１係止顎が備えられ、前記内部ハウジングは、前記凸部が前記第１係止顎にかかった状態で、前記吐出部によって加圧され前記外部ハウジングに対して下方に相対移動される化粧品が提供され得る。
【００１８】
本発明の一実施例によると、前記内部ハウジングは、前記吐出部と連結される連結部と、前記吐出部にかかる第２係止顎とを含み、前記連結部と前記第２係止顎とが前記吐出部によって加圧されることにより、前記第１栓は前記外部ハウジングの下側を開放する化粧品が提供され得る。
【００１９】
本発明の一実施例によると、前記第１貯蔵空間に混合されている前記第１流体と前記第２流体とは、前記第２容器の一部を通過して外部に排出される化粧品が提供され得る。
【００２０】
本発明の一実施例によると、前記内部ハウジングは、前記吐出部と連結され浸漬管（dip tube）の役割を果たせるように内部が中空の形で備えられる化粧品が提供され得る。
【００２１】
本発明の一実施例によると、前記第２容器は、前記内部ハウジングの上側に備えられ前記外部ハウジングの上側を密閉する第２栓をさらに含む化粧品が提供され得る。
【００２２】
本発明の一実施例によると、前記第２栓は前記第２容器の内部ハウジングと固定されるように備えられ、前記第２容器の前記貯蔵状態から前記開放状態に切り替えられる間、前記内部ハウジングに固定されている前記第２栓は、前記外部ハウジングに対してスライド移動される化粧品が提供され得る。
【００２３】
本発明の一実施例によると、前記第１栓は前記第２容器の内部ハウジングと固定されるように備えられ、前記吐出部が前記第１容器に結合されることにより、前記第１栓は前記第１貯蔵空間の下側に位置される化粧品が提供され得る。
【００２４】
本発明の一実施例によると、前記第２栓は前記外部ハウジングによってガイドされる外表面を含み、前記外表面が前記外部ハウジングによってガイドされることにより、前記内部ハウジングは前記外部ハウジングと平行に相対移動される化粧品が提供され得る。
【００２５】
本発明の一実施例によると、前記第１容器と前記第２容器とは透明な素材で形成される化粧品が提供され得る。
【００２６】
本発明の一実施例によると、前記吐出部は、前記第１流体と前記第２流体とが混合された流体をポンピングする圧力を生成するポンプ部と、前記第２容器と結合される連結表面とを含み、ユーザのプッシュ動作によるポンプ部の前記圧力によって前記第１貯蔵空間に混合されている前記第１流体と前記第２流体とは、前記吐出部の外部に吐出される化粧品が提供され得る。
【００２７】
本発明の一実施例によると、前記第１容器に対して相対回転可能に備えられる回転部と、前記第１容器の内側に配置され、前記回転部の回転により流体が混合され得る空間内で回転軸線を中心に回転し、前記空間の一方から他方まで前記回転軸線の周りに沿って螺旋状に延長される一つ以上の翼を含む翼部とを含み、前記翼部の回転により前記第１流体と前記第２流体との混合が促される化粧品が提供され得る。
【００２８】
本発明の一実施例によると、前記翼部は、前記回転部の回転力の伝達を受けて回転中心として機能する中心部と、前記第２容器の周りを包み込む形状に形成される第２容器挿入部とを含み、前記翼は前記第２容器を挿入部の周りに配置され、前記第２容器が前記第１容器に結合する際、前記第２容器は前記第２容器挿入部によってガイドされ移動される化粧品が提供され得る。
【００２９】
本発明の一実施例によると、前記翼部は、前記中心部に連結され、板状を有し前記第１貯蔵空間の一方に配置される第１プレートと、前記第２容器挿入部に連結され、板状を有し前記第１貯蔵空間の他方に配置される第２プレートとを含み、前記翼の一方は、前記第１プレートに連結され、他方は前記第２プレートに連結され、前記翼は前記第１プレートと前記第２プレートとの間で連続する形状を有する化粧品が提供され得る。
【００３０】
本発明の一実施例によると、前記第１容器の一方には、前記回転部の回転を前記翼部に伝達する動力伝達部が備えられる化粧品が提供され得る。
【００３１】
本発明の一実施例によると、化粧料混合用補助容器が結合され得、化粧料の混合空間が備えられる第１容器と、前記混合空間に貯蔵されている流体を外部に吐出する吐出部とを含む化粧料混合用主容器が提供され得る。
【００３２】
本発明の一実施例によると、前記第１容器に対して相対回転可能に備えられる回転部と、前記第１容器の内側に配置され、前記回転部の回転により流前記体が混合され得る空間内で回転軸線を中心に回転し、前記空間の一方から他方まで前記回転軸線の周りに沿って螺旋状に延長される一つ以上の翼を含む翼部とを含む化粧料混合用主容器が提供され得る。
【００３３】
本発明の一実施例によると、化粧料の混合空間を備える混合用主容器に結合され、化粧料を貯蔵している外部ハウジングと、外力によって前記外部ハウジングに対して相対移動可能であり、前記混合空間に貯蔵されている流体を移動させる通路の役割を果たせる内部ハウジングと、前記内部ハウジングの下側に備えられ前記外部ハウジングの下側を密閉する第１栓と、前記内部ハウジングの上側に備えられ前記外部ハウジングの上側を密閉する第２栓とを含み、前記外力によって前記内部ハウジングが下方に移動することにより、前記第１栓は前記外部ハウジングを開放する化粧料混合用補助容器が提供され得る。
【００３４】
本発明の一実施例によると、前記内部ハウジングは、前記混合用主容器に結合され、前記混合空間に貯蔵されている流体を移動させるように、内部が中空の形で備えられる化粧料混合用補助容器が提供され得る。
【発明の効果】
【００３５】
本発明の実施例による化粧料混合用主容器、化粧料混合用補助容器、およびこれらを含む化粧品によると、異種の流体を別々の容器に貯蔵した後、使用時に簡単な操作で混合できるメリットがある。
【００３６】
また、ユーザの好みに応じた多数の化粧品原料を選択した後、これらを混合し得るメリットがある。
【００３７】
また、新鮮な化粧品を使用しようとする消費者の欲求を満たせるメリットがある。
【００３８】
また、簡単な操作で、化粧品原料の補充が可能であるというメリットがある。
【図面の簡単な説明】
【００３９】
【図１】図１は、本発明の一実施例による化粧品を示す正面図である。
【図２】図２は、図１における化粧品が結合する前の分解断面図である。
【図３】図３は、図１における第２容器が開放状態の時を示す断面図である。
【図４】図４は、図１における翼部を示す斜視図である。
【図５】図５は、図１における回転部の内側を示す斜視図である。
【図６】図６は、本発明の一実施例による化粧品が結合する過程を示す図である。
【発明を実施するための形態】
【００４０】
以下では、本発明の具体的な実施例について、図面を参照して詳細に説明する。なお、この発明を説明するに当たって、関連する公知の構成または機能に対する具体的な説明が本発明の要旨を曖昧にすることができていると判断される場合は、その詳細な説明を省略する。
【００４１】
図１は、本発明の一実施例による化粧品を示す正面図であり、図２は、図１の化粧品が結合される前の分解断面図であり、図３は、図１の第２容器が開放状態のときを示す断面図であり、図４は、図１の翼部を示した斜視図であり、図５は、図１の回転部内側を示す断面図であり、図６は、本発明の一実施例による化粧品が結合される過程を示す図である。
【００４２】
図１〜図６を参照すると、本発明の一実施例による化粧品１は、第１流体が貯蔵され、第１流体と他の流体が混合され得る空間を備える第１容器１００と、第１容器１００に貯蔵されている流体を外部に吐出する吐出部２００と、第１容器１００の内部に結合可能であり、第２流体を貯蔵し得る第２容器３００とを含み得る。また、第２容器３００は第１容器１００の内部の上側に結合され、吐出部２００は第１容器１００と第２容器３００とに同時に結合され得る。この際、第２容器３００の一部が吐出部２００によって加圧されることにより、第２容器３００の密閉状態が解除され、第２容器３００に貯蔵されている第２流体と第１容器１００に貯蔵されている第１流体が混合され得る。なお、吐出部２００にて加わる圧力は、ユーザが吐出部２００を第１容器１００に結合する過程で下側方向に加わる圧力と理解され得る。
【００４３】
また、第２容器３００の密閉状態が解除された場合は開放状態、第２容器３００の密閉状態が維持される場合は貯蔵状態として理解され得る。
【００４４】
また、本発明の一実施例による化粧品１は、第２容器３００の密閉状態が解除され、第２容器３００に貯蔵されている第２流体と第１容器１００に貯蔵されている第１流体との混合を促すための手段をさらに含み得る。具体的に、第１容器１００に対して相対回転可能に備えられる回転部４００と、第１容器１００の内側に配置され、回転部４００の回転により第１貯蔵空間１０２内で回転軸線Ｃを中心に回転し、第１貯蔵空間１０２の一方から他方まで回転軸線Ｃの周りに沿って螺旋状に延びる一つ以上の翼５３０を含む翼部５００とを含み得る。
【００４５】
また、本実施例において、第１流体と第２流体とは、互いに異なる物質の化粧料であることを例に挙げて説明する。例えば、第１流体はＷ／ＯまたはＯ／Ｗエマルションであり、第２流体はコンシーラーであり得る。このようにエマルションとコンシーラーとが混合した化粧料は、その混合率に応じて異なる効能を奏し得るので、ユーザは自分が望む割合でエマルションとコンシーラーを混合して、自分に合ったカスタム化粧品を使用し得る。しかし、本発明の思想はこれに限定されず、第１流体は溶媒として作用し得る任意の流体であり得、これに混合される第２流体は、その流体に混合または溶解され得る流体またはパウダーなどの任意の物質であり得る。また、本発明の実施例において、第２容器３００を除いた、第１容器１００と、回転部４００と、翼部５００と、後述する動力伝達部６００、および吐出部２００は、化粧料混合用主容器１０を構成するものとして説明され得、第２容器３００を化粧料混合用補助容器として説明し得る。すなわち、第１容器１００と第２容器３００とは、互いに結合可能であり、各容器に入っている内容物を交換および充填するために、独立して販売可能な構成として理解され得る。
【００４６】
また、化粧料混合用主容器１０は、蓋２０と結合され一つの化粧品として生産、販売され得る。以下では、説明の便宜のために蓋２０が備えられる方向を上側、回転部４００が備えられる方向を下側として説明する。
【００４７】
蓋２０は、化粧品１を使用しないとき吐出部２００が外部に露出されることを遮蔽することができ、第１容器１００の吐出部２００側の端部に着脱可能に嵌合され得る。
【００４８】
また、化粧料混合用主容器１０に貯蔵されている第１流体と、第２容器３００に貯蔵されている第２流体とは個別に販売され得、ユーザの好みに応じて、第２容器３００に入っている第２流体を化粧料混合用主容器１０に貯蔵されている第１流体と混合して使用し得る。
【００４９】
第１容器１００は、外部から第１容器１００にて流体が混合されることが確認できるように透明な素材で形成され得る。そうすると、ユーザは異なる流体（化粧料）が混合され新たな形の流体（化粧料）が形成されることを肉眼で確認できるので、製品に対する信頼性が向上され得、審美的な効果も与えられる。
【００５０】
第１容器１００は、両側が開放された形状で提供され得、実質的に流体および混合流体の貯蔵空間を備える筒部１１０と、筒部１１０の一方に提供され吐出部２００と第２容器３００が結合される首部１２０と、筒部１１０の他方に備えられ回転部４００と結合する結合部１３０とを含み得る。
【００５１】
ただし、本発明の一実施例によると、回転部４００および翼部５００を除いて、第１容器１００と第２容器３００と吐出部２００とのみ備えられ、この場合、第１容器１００の下側が塞がれた形状を有し得る。
【００５２】
筒部１１０によって形成される第１貯蔵空間１０２は円筒形であり得、筒部１１０の内側壁面に付く化粧料は、翼部５００の回転により離されることができる。しかし、本発明の思想はこれに限定されず、一例として、翼部５００が筒部１１０の内側壁面に接触しない実施例の場合、第１貯蔵空間１０２は円筒形でないこともあり得る。また、筒部１１０の外側形状は、本発明の思想を制限しない。本実施例では、筒部１１０が全体的に円筒形であることを例に挙げて示している。
【００５３】
筒部１１０は、翼部５００の回転軸線Ｃが延びる方向に応じて、異なる断面積を有する筒状でも備えられる。この場合、筒部１１０の内径の変化に応じられるように翼５３０の形状が変化され得る。例えば、筒部１１０の内径の変化に応じるように翼５３０の幅が変化され得る。また、筒部１１０の延長方向に沿って全体的に翼５３０が筒部１１０の内側壁面に接触された状態が維持され得る。
【００５４】
また、筒部１１０の上端部には、蓋２０が結合するための結合部が備えられる。
【００５５】
首部１２０は、筒部１１０より相対的に小さい直径を有するように形成され、吐出部２００と第２容器３００とが結合されるための形状を有し得る。具体的に、首部１２０の外側周にはねじ山１２２が形成され、吐出部２００と第１容器１００の首部１２０とが結合され得る。この際、吐出部２００の内側周にも首部１２０のねじ山１２２と対応するねじ山２２２が形成され得る。
【００５６】
また、首部１２０の内側には、第２容器３００が支持され得る第１係止顎１２４が形成され得る。つまり、後述する第２容器３００の上側に形成された凸部３２４は、首部１２０の第１係止顎１２４にかかる。
【００５７】
第１容器１００の第１係止顎１２４と第２容器３００の凸部３２４とがかかった後（第２容器３００は、第１容器１００によって支持される）、第２容器３００の上側（第２係止顎３１４）は、吐出部２００から下側に力を受けて、第２容器３００に貯蔵されている第２流体の密閉状態が解除され得る。これにより、第２容器３００に貯蔵されている第２流体は、第１容器１００の内部に流入することができるが、これに関する詳細な説明は後述する。
【００５８】
また、首部１２０は、凸部３２４の外径に対応する係止顎上側表面１２５を含み、係止顎上側表面１２５と第２容器３００の凸部３２４とが嵌合され得る。
【００５９】
結合部１３０は、回転部４００を支持するものであり、回転部４００の内側空間に挿入される円柱状であり得る。また、結合部１３０は、後述する動力伝達部６００が内側に挿入され得る開口された形状を有し得る。結合部１３０の周りには、回転部４００を固定するとともに回転部４００を回転可能に支持するための内側係止部１３２が形成され得る。
【００６０】
吐出部２００は、第１容器１００に貯蔵されている流体または混合流体を外部に排出するための手段として、様々な形態の吐出手段が適用され得る。吐出部２００は、流体をポンピングする圧力を生成するポンプ部２１０と、ユーザのプッシュ動作による圧力をポンプ部２１０に印加するプッシュ部２３０と、流体を外部に吐出するノズル部２４０とを含み得る。なお、ポンプ部２１０とプッシュ部２３０およびノズル部２４０の構成および作用の詳細な説明は省略する。
【００６１】
また、吐出部２００は、外力により第２容器３００を加圧して、第２容器３００の密閉状態を解除するための構造を有し得る。具体的に、吐出部２００は、吐出部２００の下側に形成された連結表面２１５を含み得る。連結表面２１５は、後述する内部ハウジング３１０の第２係止顎３１４にかかる第１表面２１５ａと、内部ハウジング３１０の端部３１８にかかる第２表面２１５ｂとを含み得る（図２および図３を参照）。
【００６２】
ただし、これに限定されるものではなく、連結表面２１５の第１表面２１５ａは、第２栓３３０の上側に支持されるように配置されても良い。なお、第１表面２１５ａが第２栓３３０の上側を加圧し、第２表面２１５ｂが第２係止顎３１４にかかって第２係止顎３１４を加圧できるように構成することもできる（図２および図３を参照）。
【００６３】
第２容器３００は、第２流体を貯蔵し得る第２貯蔵空間３０２を備えられる。第２容器３００は、外部ハウジング３２０と、外部ハウジング３２０と所定距離離隔される内部ハウジング３１０と、外部ハウジング３２０と内部ハウジング３１０との下側を密閉する第１栓３４０とを備えられ得る。
【００６４】
また、第２容器３００は、外部ハウジング３２０と内部ハウジング３１０との上側を密閉する第２栓３３０をさらに含み得る。
【００６５】
また、第２容器３００は、ユーザが外部から流体が混合されることを確認できるように透明な素材で形成され得る。
【００６６】
第２容器３００の上下方向長さＨ１は、第１容器１００内部の上下方向長さＨ２の１／２で備えられ得る。この場合、第２栓３３０が第１貯蔵空間１０２下方に移動された場合、第２栓３３０は外部ハウジング３２０と一部が重複され得、第２栓３３０と外部ハウジング３２０が重複した長さの分、第１貯蔵空間１０２の下部と第１栓３４０が離隔され得る。
【００６７】
また、第１プレート５２０の底５２９と内部ハウジング３１０が接する領域に溝（図示せず）をさらに形成し得る。この溝を介して、第１容器１００の第１貯蔵空間１０２から内部ハウジング３１０に流体の移動を容易にし得る。なお、第２容器３００の上下方向長さＨ１は、後述する第２栓３３０の上側表面から第１栓３４０の下側表面までの長さとして理解され得、第１容器１００の上下方向長さＨ２は、第１プレート５２０の底５２９から第１容器１００の上側までの長さとして理解され得る。
【００６８】
一方、内部ハウジング３１０は、第１容器１００にある混合された流体（第１流体と第２流体の混合）が移動して外部に吐出される通路の機能をし得る。
【００６９】
また、第２容器３００の上下方向長さＨ１は、第１容器１００内部の上下方向長さＨ２の１／２より０．５ｍｍ〜１ｍｍ短く形成され得る。この場合にも、吐出部２００が第１容器１００に結合する際、第２容器３００の内部ハウジング３１０は第１プレート５２０の底５２９と離隔され得る。また、第２容器３００の底部と内部ハウジング３１０の離隔された隙間を介して第１貯蔵空間１０２から内部ハウジング３１０に流体が移動され得る。外部ハウジング３２０の上側外側には凸部３２４が形成され、第２容器３００と第１容器１００との結合の際、凸部３２４が第１容器１００の第１係止顎１２４に結合される。この際、第２容器３００の凸部３２４と第１容器１００の首部１２０とは嵌合され得る。また、外部ハウジング３２０は、後述する翼部５００の第２容器挿入部５１０に対応する形状を有し得る。例えば、第２容器挿入部５１０が円筒状である場合、外部ハウジング３２０も円筒状を有し得る。ただし、その形状はこれに限定されない。
【００７０】
内部ハウジング３１０は、内部が空いており、内部ハウジング３１０は浸漬管（dip tube）の機能をし得る。また、内部ハウジング３１０の上部と吐出部２００とが結合され得る。また、吐出部２００のポンピングにより、第１容器１００に入っている混合された流体が、内部ハウジング３１０を介して外部に排出され得る。このように、内部ハウジング３１０が浸漬管の機能を果たすので、第１容器１００内部の空間活用度を高め得る。なお、内部ハウジング３１０の形状は円筒状を有し得るが、その形状はこれに限定されない。
【００７１】
内部ハウジング３１０の上側には、吐出部２００と結合されるための手段が備えられる。例えば、内部ハウジング３１０の上側には、内部ハウジング３１０の周外径よりも小さい周外径を有する連結部３１５が備えられ得る。また、内部ハウジング３１０は、連結部３１５と内部ハウジング３１０間の直径の差による第２係止顎３１４を含み得る。このような形状の内部ハウジング３１０の上側と吐出部２００の下側とは嵌合され得る。しかし、内部ハウジング３１０と吐出部２００とを連結する手段は嵌合に限定されず、内部ハウジング３１０の上側にねじ山を形成して吐出部２００の下側と結合する手段を形成し得る。また、連結部３１５は端部３１８を含み、吐出部２００の第２表面２１５ｂにかかるようにし得る。
【００７２】
第１栓３４０は内部ハウジング３１０の下側に固定され、外部ハウジング３２０の下側を密閉し得る。
【００７３】
また、吐出部２００により内部ハウジング３１０が加圧され、第１栓３４０は外部ハウジング３２０と結合状態が解除され、第１貯蔵空間１０２の下方に移動され得る。
【００７４】
第１栓３４０は、内部ハウジング３１０が貫通し得るホール（図示せず）が備えられ、内部が空いている内部ハウジング３１０は、このホールを貫通して第１貯蔵空間１０２に貯蔵されている混合流体を吐出部２００の外部に吐出し得る。
【００７５】
第２栓３３０は、外部ハウジング３２０の上側と内部ハウジング３１０とを連結する。第２栓３３０は、内部ハウジング３１０周りの一方を取り囲む形状をしている。
【００７６】
第２栓３３０は、内部ハウジング３１０には固定されているが、外部ハウジング３２０には固定されていない。つまり、吐出部２００の下側から加わる圧力により、内部ハウジング３１０が下側に移動すると、第２栓３３０も内部ハウジング３１０と同時に移動する。この際、第２栓３３０は、外部ハウジング３２０に対してスライド移動可能に構成され得る。
【００７７】
また、第２栓３３０の外表面３３２は外部ハウジング３２０によってガイドされ、内部ハウジング３１０と外部ハウジング３２０とは、互いに水平に移動し得る。
【００７８】
また、第２栓３３０も、内部ハウジング３１０が貫通するホール（図示せず）を備えられる。
【００７９】
なお、外表面３３２の上下方向の長さが長くなるほど、内部ハウジング３１０と外部ハウジング３２０とを互いに平行に動くようにし得る。
【００８０】
翼部５００は、第１容器１００の内側で回転し、第１貯蔵空間１０２内にある第１流体を第２流体と混合する機能をし得る。また、翼部５００は、第１流体と第２流体とを流動させるか、これらと直接衝突して混合させる混合力を提供する１つ以上の翼５３０を備えられる。
【００８１】
翼５３０は、第１貯蔵空間１０２内で回転軸線Ｃを中心に回転するように配置され得る。なお、回転軸線Ｃは、翼部５００を回転させる回転軸６４０の中心線が延長された仮想の線であり得、第１容器１００の上下方向に延びる形で備えられる。また、翼５３０は、第２容器３００を取り囲むように形成されることにより、二つの構成は互いに干渉しないように配置される。
【００８２】
本実施例では、二つの翼５３０が上下方向に螺旋状に形成されることを例に示している。なお、１つの翼５３０は、下端部から上端部まで延長され、回転軸線Ｃを中心に１回転するように形成され得る。つまり、平面方向から見たとき、一つの翼５３０の始点と終点は同一に配置され得る。
【００８３】
また、複数の翼５３０は、回転軸線Ｃを中心に対称を成して延長され得る。このような構成により、第１貯蔵空間１０２の内部における流体混合が均一に行われる。
【００８４】
翼５３０は、回転部４００によって回転される第１プレート５２０と第２プレート５４０とによって支持され得る。
【００８５】
なお、第２プレート５４０は、第１プレート５２０から所定の距離を離隔して、第１プレート５２０と対向するように配置され得る。また、第２プレート５４０は選択的に備えられ得るが、翼５３０の強固な支持のために備えられることが好ましい。第１プレート５２０と第２プレート５４０に関する具体的な内容は後述する。
【００８６】
翼部５００は、回転部４００の回転力の伝達を受け回転中心として機能する中心部５１２と、第２容器３００を取り囲む第２容器挿入部５１０とを含み得る。
【００８７】
第２容器挿入部５１０の内周面は、第２容器３００が第１容器１００に挿入する際にガイドの役割をし得る。具体的に、第２容器３００の外部ハウジング３２０は、第２容器挿入部５１０によってガイドされ得る。また、内部ハウジング３１０が第１容器１００の下側に下がってくる際、第１栓３４０の外側周の一部（下側周表面３４２）が第２容器挿入部５１０の内周面にガイドされ得る。なお、第１栓３４０は、外部ハウジング３２０の内側周と嵌合される上側周表面３４１と、上側周表面３４１よりも大きい外径を有する下側周表面３４２とを含み得る。また、下側周表面３４２の外径は、外部ハウジング３２０の外径と同一であり得る。
【００８８】
また、翼５３０は、第２容器挿入部５１０の周りに配置される。
【００８９】
中心部５１２は、翼部５００の回転中心として、回転部４００から回転力の伝達を受ける回転軸６４０に固定され回転される。中心部５１２は、吐出部２００と対向する側、すなわち、第１容器１００の回転部４００側に設けられる。第２容器挿入部５１０は、中心部５１２側から吐出部２００側に向かって延びる形状を有し得る。
【００９０】
第２容器挿入部５１０は、第２容器３００が挿入される空間を備えると同時に、中心部５１２とともに回転するように備えられ得る。なお、第２容器挿入部５１０の内周面と第２容器３００とは、互いに接触しないように備えられ得る。このような形状により、翼部５００の回転により浸漬管の役割をする内部ハウジング３１０が影響を受けなくなり得る。
【００９１】
一方、第２容器挿入部５１０の外側一部は、開放された開口を有し得る。例えば、第２容器挿入部５１０は切開部５１４を含み得る。切開部５１４は、長方形の形状で複数形成され得る。また、切開部５１４は、第２容器挿入部５１０の周方向に一定の間隔をもって形成され得る。
【００９２】
このように、第２容器挿入部５１０は、切開部５１４を有することにより、第２容器３００の密閉状態が解除された後、第２容器３００から第２流体が切開部５１４を介して第１容器１００の内側に抜け出られる。
【００９３】
また、第２容器挿入部５１０の少なくとも一部分５１３は、第２容器３００を安定して支持できるよう、第２容器を完全に包み込むようにも形成され得る。
【００９４】
第２容器３００の一部分５１３の下側端部は、第２容器３００が第１容器にかかった時の外部ハウジング３２０の下側端部に対応するように位置し得る。そうすると、第２流体が第２容器３００から初めて出てくる区間に切開部５１４が形成される区間の始まりとなり得る。
【００９５】
また、翼部５００は、中心部５１２に連結され、板状を有し、第１貯蔵空間１０２の一方に配置される第１プレート５２０と、第２容器挿入部５１０に連結され、板状を有し、第１貯蔵空間１０２の他方に配置される第２プレート５４０とを含み得る。そして、翼５３０の一方は第１プレート５２０に連結され、他方は第２プレート５４０に連結され得る。
【００９６】
具体的に、第１プレート５２０は、回転部４００に隣接して配置され第１貯蔵空間１０２を横切る板状に形成され得、一対の翼５３０は第１プレート５２０の一方と他方に、互いに対称を成して配置され得る。第１プレート５２０から複数の翼５３０は回転軸線Ｃを中心に対称を成して螺旋状に延長され、第２プレート５４０まで延長され得る。
【００９７】
この際、翼５３０は、第１プレート５２０と第２プレート５４０との間で連続して形成され得る。このような翼５３０は、流体の連続した螺旋状の流動を作り出せるとともに、翼５３０が形成されている第１貯蔵空間１０２の上下方向の区間内では流体を全体的に撹拌されるようにする。
【００９８】
第１プレート５２０は、第１貯蔵空間１０２の一側面を形成する後述するベース６１０に安着され回転し得る。第２プレート５４０は首部１２０、すなわち、第１貯蔵空間１０２の入口に隣接するように備えられ得る。一例として、第２プレート５４０が、首部１２０と筒部１１０との連結点から離隔された長さは、第１貯蔵空間１０２の全体長さの１０％以内であり得る。そうすると、第１貯蔵空間１０２の９０％に対応する区間に翼部５００が形成されるので、翼部５００が第１貯蔵空間１０２の全体において流体を撹拌させられる。したがって、流体の迅速な撹拌が可能となり得る。
【００９９】
本実施例において、翼部５００の翼５３０は、流体の全体的な撹拌のために第１貯蔵空間１０２の全体長さの５０％以上に亘って形成され得る。また、第１プレート５２０の位置は、ベース６１０に安着されることに限定されず、第１貯蔵空間１０２内の任意の位置に配置され翼５３０を支持し得る。
【０１００】
翼５３０は、所定の幅を有するブレード状で備えられるものであり、第１プレート５２０と第２プレート５４０との間で流体を押し出したり液体と衝突したりして流動を起こし得る。この際、翼５３０の内側エッジ５３２は、第２容器挿入部５１０と離隔され得る。また、翼５３０の外側エッジ５３４の少なくとも一部は、第１容器１００の内側壁面に接触してスライド移動され得る。
【０１０１】
また、翼５３０の内側エッジ５３２は、第２容器挿入部５１０と接触され、外側エッジ５３４は、筒部１１０の内側壁面に接触され得る。そうすると、翼５３０を構造的にさらに丈夫に備えられ、上下方向に移動する流体の流動に不規則性を与えられる。しかし、本発明の思想はこれに限定されない。例えば、翼５３０の内側エッジ５３２は第２容器挿入部５１０と離隔され得、翼５３０の外側エッジ５３４は筒部１１０の内側壁面と離隔され得る。
【０１０２】
本発明の一実施例によると、翼５３０の内側エッジ５３２は第２容器挿入部５１０と離隔され得る。そうすると、翼５３０による流体の流動は、内側エッジ５３２と第２容器挿入部５１０との間の空間において上下方向に起こり得る。
【０１０３】
また、翼５３０の外側エッジ５３４は、第１容器１００の内側壁面に付着している流体（または他の物質）を掃き出せるので、第１容器１００の内側壁面はきれいな状態で維持され得る。これにより、ユーザに審美感をも提供し得る。翼５３０は、第１容器１００にスクラッチを出さないために、第１容器１００よりも強度の低い素材で形成され得る。一例として、第１容器１００は透明ＰＥＴＧで形成され、翼５３０はポリプロピレンで形成され得る。
【０１０４】
一方、他の実施例として、翼５３０の外側エッジ５３４は、第１容器１００の内側壁面に接触され、軟性の素材で形成され得る。なお、翼５３０は、第１容器１００の内側壁面を掃き出すワイパー状であり得る。ワイパー状の翼５３０は、第１容器１００の内側壁面から滑り運動ができ、内側壁面の損傷を最小化できるようにテフロン（登録商標）のような低摩擦素材で形成され得る。
【０１０５】
本実施例では、外側エッジ５３４が第１容器１００の内側壁面に接触されることを例に挙げて説明するが、本発明の思想はこれに限定されない。例えば、外側エッジ５３４は、第１容器１００の内側壁面と所定距離離隔されるように配置され得る。つまり、翼５３０の幅は、翼５３０が第１容器１００の内側壁面から離隔された状態で回転できるように設定され得る。この際、翼５３０の外側エッジ５３４と第１容器１００の内側壁面とが離隔された距離は、流体の流動により形成される圧力によって、第１容器１００の内側壁面に付着している流体または他の物質が落ちるように設定され得る。例えば、翼５３０の外側エッジ５３４と第１容器１００の内側壁面との離隔距離は、１ｍｍ以下に設定され得る。
【０１０６】
また、混合される流体の特性に応じて、第１流体、第２流体およびこれらの混合物が第１容器１００の内側壁面に付着しないこともあり得る。このような流体の特性を有する場合、翼５３０の外側エッジ５３４は、第１容器１００の内側壁面から十分に離隔されるように設計され得る。そうすると、外側エッジ５３４と第１容器１００の内側壁面との間にも上下方向の流体流動が発生され、流体がよりスムーズに混合され得る。
【０１０７】
一方、第２容器挿入部５１０は、第１プレート５２０と第２プレート５４０とを連結する機能をするものであり、翼部５００の回転軸として機能することもできる。したがって、第２容器挿入部５１０を回転軸部とも命名し得る。
【０１０８】
一方、第１容器１００の一方には、回転部４００の回転を翼部５００に伝達する動力伝達部６００が備えられ得る。本実施例では、動力伝達部６００として、所定のギヤアセンブリが備えられることを例に挙げて説明するが、本発明の思想はこれに限定されず、ベルト、チェーン、ローラなど公知の様々な回転力伝達手段が使用され得る。
【０１０９】
具体的に、動力伝達部６００は、第１容器１００の一方の開口部を遮蔽するように、第１容器１００の一方に結合されるベース６１０を含み得、翼部５００はベース６１０に回転可能に結合され得る。ベース６１０は、結合部１３０の内側に挿入され開放空間を遮蔽できる形状および面積を有し得る。すなわち、第１容器１００の一方はベース６１０によって遮蔽され得、これにより第１貯蔵空間１０２が形成され得る。
【０１１０】
ベース６１０の上面には、第１プレート５２０の底面一部を滑り回転可能に支持する回転支持部６１２が形成される。一例として、回転支持部６１２は、第１プレート５２０の底面に形成された突出領域が挿入できるように形成された溝であり得る。
【０１１１】
ベース６１０の中央、具体的に、回転支持部６１２の中央には、翼部５００の中心部５１２が挿入されるための貫通ホール６１４が形成され得る。中心部５１２は、貫通ホール６１４を介して回転軸６４０と連結され得る。つまり、翼部５００は、ベース６１０と回転可能に結合され得る。回転軸６４０は、中心部５１２から下方に延長され、回転部４００とベース６１０との間の内側空間に位置され得る。
【０１１２】
また、ベース６１０の周りには、結合部１３０が安着され支持される安着部６１６が備えられ得る。安着部６１６は、結合部１３０の端部を加圧して支持し得る。また、回転部４００は結合部１３０に結合され、ベース６１０に形成された連結ギヤ回転軸６２０を加圧し得る。
【０１１３】
回転部４００は、ベース６１０と結合部１３０を包み込み結合部１３０に対して相対回転可能に結合され得る。ユーザは、回転部４００を第１容器１００に対して相対回転させることにより翼部５００を回転させることができ、このような動作により第１流体と第２流体が混合され得る。
【０１１４】
具体的に、回転部４００は、結合部１３０の周りを包み込むハウジング部４１０と、本体１０の底面を形成する底部４２０とを含み得る。この際、結合部１３０の外周面には内側係止部１３２が形成され、ハウジング部４１０の内周面には外側係止部４１２が形成され、外側係止部４１２が内側係止部１３２にかかることにより、回転部４００が第１容器１００に固定され得る。
【０１１５】
回転部４００は、外側係止部４１２が内側係止部１３２に沿ってスライド移動し得る。また、回転部４００は、第１容器１００に対して相対回転可能である。内側係止部１３２と外側係止部４１２とは、それぞれリング状で突出形成される突起であり得る。回転部４００を第１容器１００側に加圧することにより、結合部１３０とハウジング部４１０が一定レベル弾性変形され、外側係止部４１２が内側係止部１３２を乗り超えて内側係止部１３２にかかることにより、回転部４００が第１容器１００に固定され得る。なお、外側係止部４１２は、内側係止部１３２に接触してスライドされ得る。また、回転部４００は、予め設定された位置で第１容器１００に対して相対回転され得る。
【０１１６】
一方、底部４２０は、ベース６１０に形成された連結ギヤ回転軸６２０を加圧し得る。これにより、ベース６１０は上方に加圧され得、これは結合部１３０の端部を加圧する。これにより、ベース６１０は結合部１３０に嵌められた位置を強固に維持し得る。本実施例では、ベース６１０が結合部１３０と回転部４００とによって加圧されることにより固定されることを例に挙げて説明するが、ベース６１０は、結合部１３０に接着固定または無理やり嵌合固定されることもあり得る。
【０１１７】
ベース６１０には、翼部５００の回転中心となる回転軸６４０と回転軸６４０に結合された中心ギヤ６５０が備えられ得る。回転部４００の内側には、回転部４００の内周面の周に沿って形成される主ギヤ４３０が形成される。また、ベース６１０には、主ギヤ４３０の回転力を中心ギヤ６５０に伝達する少なくとも一つの連結ギヤ６３０が備えられ得る。
【０１１８】
前述のように、回転軸６４０は、ベース６１０を貫通して延びる中心部５１２に固定され得、中心ギヤ６５０は主ギヤ４３０の回転により回転軸６４０を回転させる。
【０１１９】
連結ギヤ６３０は、ベース６１０から下方に延長形成される連結ギヤ回転軸６２０に固定され、中心ギヤ６５０を中心に複数備えられ得る。このような連結ギヤ６３０は、主ギヤ４３０の回転力を中心ギヤ６５０に伝達する役割を果たせる。この際、主ギヤ４３０と連結ギヤ６３０と中心ギヤ６５０とは、回転軸６４０が回転部４００よりも大きい回転数を有するギヤ比で形成され得る。つまり、回転部４００の１回転により中心ギヤ６５０はさらに多くの回転ができ、これにより翼部５００は回転部４００よりさらに多く回転することになる。これにより、ユーザは小さい力を回転部４００に加えても、容易に流体を混合することができる。本実施例では、連結ギヤ６３０が中心ギヤ６５０の両側に一対で備えられることを例に挙げて図示したが、本発明の思想はこれに限定されない。
【０１２０】
以下では、前記のような構成を有する本発明の一実施例による化粧品１の作用および効果について説明する（図６を参照）。
【０１２１】
まず、第１容器１００と第２容器３００と吐出部２００とが結合される過程を見ると、以下の通りである。
【０１２２】
図６を参照すると、（ａ）は、第２容器３００を除いて、吐出部２００および第１容器１００を示し、（ｂ）は、第２容器３００が第１容器１００の上側に結合された様子を示し、（ｃ）は、吐出部２００の下側が第２容器３００に結合された後、内部ハウジング３１０を押し出す直前の様子を示し、（ｄ）は、吐出部２００の下側が第２容器３００を加圧して、内部ハウジング３１０が第１容器１００下側に移動される過程を示し、（ｅ）は、吐出部２００が第１容器１００に結合され、第２容器３００の内部ハウジング３１０が第１容器１００の下側に移動された様子を示す。（ｅ）において、外部容器３００の内部ハウジング３１０が移動されると、内部ハウジング３１０は第１プレート５２０と離隔して配置され得る。
【０１２３】
このような過程を経て、第２容器３００に貯蔵されている第２流体が第１容器１００に貯蔵されている第１流体と混合され得る。
【０１２４】
また、第１容器１００と吐出部２００と第２容器３００が完全に結合した後、翼部５００の回転により、第１流体と第２流体との混合が促進され得る。
【０１２５】
また、化粧料混合用主容器１０の組立過程を見ると、以下の通りである。まず、翼部５００を動力伝達部６００に結合する。この際、翼部５００の中心部５１２はベース６１０の一方から貫通ホール６１４に挿入され得、回転軸６４０は中心部５１２に結合されて固定され得る。回転軸６４０には中心ギヤ６５０が結合され得る。翼部５００は、回転軸６４０に中心ギヤ６５０が結合されることにより、ベース６１０に回転可能に固定され得る。
【０１２６】
その後、ベース６１０の連結ギヤ回転軸６２０に連結ギヤ６３０を、中心ギヤ６５０と連動可能に挿入する。
【０１２７】
作業者は、翼部５００と動力伝達部６００の組立体を、結合部１３０を介して第１容器１００の第１貯蔵空間１０２側に入れる。この際、組立体の挿入深さは、ベース６１０に形成された安着部６１６が結合部１３０の端部にかかることにより制限され得る。ベース６１０は、結合部１３０の内側に挿入されて第１貯蔵空間１０２の一方を遮蔽し得る。
【０１２８】
その後、作業者は、結合部１３０を回転部４００の内側に嵌合させる。この際、外側係止部４１２が内側係止部１３２にフック結合され得、これにより回転部４００が第１容器１００に対して相対回転可能に固定され得る。さらに、回転部４００の内周面に形成された主ギヤ４３０が連結ギヤ６３０および中心ギヤ６５０と連動可能に配置され得る。
【０１２９】
このような状態で、首部１２０を介して第１容器１００の内側に第１流体が注入され得、その後、前述の吐出部２００を第１容器１００および第２容器３００に結合させられる。
【０１３０】
ユーザは、このような化粧料混合用主容器１０と第２容器３００とを別途購入した後、第２容器３００を化粧料混合用主容器１０と結合して使用し得る。
【０１３１】
ユーザは、第１容器１００と第２容器３００と吐出部２００とを結合して、第１容器１００を密閉し得る。そして、第１容器１００と回転部４００を相対回転させる。例えば、ユーザは、第１容器１００を片手にもって固定させた後、回転部４００を他方の手で回転させられる。
【０１３２】
この際、主ギヤ４３０と連結ギヤ６３０と中心ギヤ６５０との連動により、ユーザは、回転部４００を回転させる回転数よりさらに多い回転数で翼部５００を回転させられる。
【０１３３】
第２容器３００の内部ハウジング３１０は、第２容器挿入部５１０の内側に位置するので、翼部５００の回転に関係なくその位置を安定して維持し得る。
【０１３４】
翼部５００に形成された翼５３０は、第１容器１００が延長される方向に第１容器１００の一方から他方まで螺旋状に連続して延長される形状を有する。それにより翼５３０は、第１容器１００に収容された流体全体を撹拌し得る。
【０１３５】
翼５３０の一方の端部を形成する第１プレート５２０がベース６１０によって支持され、第２プレート５４０が首部１２０に隣接して配置され、第１貯蔵空間１０２全体に亘って翼５３０が形成されると、撹拌効果は極めて大きくなり得る。
【０１３６】
また、翼５３０の外側エッジ５３４が、第１容器１００の内側壁面に接触して回転されることにより、第１容器１００の内側壁面に流体が付着することを防止し得る。
【０１３７】
また、翼５３０の内側エッジ５３２が第２容器挿入部５１０と離隔されると、翼５３０によって形成される流体の流動が上下方向に生じるので、撹拌性能を向上させられる。特に、外側エッジ５３４が第１容器１００の内側壁面に接触していると、内側エッジ５３２と第２容器挿入部５１０との間の空間は、流体が上下方向に混合できる通路として機能し得る。翼５３０によって螺旋方向に形成される流体の流動と、内側エッジ５３２と第２容器挿入部５１０との間の空間によって上下方向に形成される流体の流動とが混合されると、流体の撹拌が効果的に起こられる。前記のような本発明の一実施例による化粧品１によると、翼部５００が回転軸線の延長方向に沿って連続的に、全体的に形成されることによって、翼部５００の少ない回転数でも流体を十分に混合し得る。
【０１３８】
また、翼部５００が、第１容器１００の内側壁面に流体や他の物質が残留することを防止することができるので、第１容器１００は常にきれいに保たれる。
【０１３９】
また、回転軸として機能する第２容器挿入部５１０の内側に、第２容器３００の内部ハウジング３１０が浸漬管の役割をするように配置され得る。そうすると、内部ハウジング３１０の中空空間から吐出部２００を介して流体が外部に吐出され得る。
【０１４０】
また、本発明の他の実施例によると、二つの翼が上下方向に螺旋状に形成され、一つの翼が下端部から上端部まで延び、回転軸線Ｃを中心に０．５回転するように形成された翼部５００を含み得る。つまり、平面方向から見たとき、一つの翼の始点と終点は中心軸を基準に対称に配置され得る。
【０１４１】
また、本発明の他の実施例による化粧品１は、四つの翼が上下方向に螺旋状に形成され、一つの翼が下端部から上端部まで延び、回転軸線Ｃを中心に０．５回転するように形成された翼部５００を含み得る。なお、翼部５００の翼幅は、前述の実施例よりも狭く形成され、外側エッジが第１容器１００の内側壁面から離隔するようにも形成され得る。
【０１４２】
また、翼５３０が回転軸線Ｃを取り囲む回転数と翼５３０の数の積は１以上で設けられる。これにより、流体を撹拌する力が一定レベル以上に提供され得る。
【０１４３】
以上、本発明の実施例による化粧品を具体的な実施例として説明したが、これは例示に過ぎないものであり、本発明はこれに限定されるものではなく、本明細書に開示された基礎思想に従う最も広い範囲を有するものと解釈されるべきである。当業者は、開示された実施例を組合、置換して摘示されていない形状のパターンを実施し得るが、これもまた本発明の範囲を逸脱しないものである。さらに、当業者は、本明細書に基づいて開示された実施例を容易に変更または変形することができ、このような変更または変形も、本発明の権利範囲に属することは明らかである。
【符号の説明】
【０１４４】
１：化粧品
１０：化粧料混合用主容器
１００：第１容器
２００：吐出部
３００：第２容器
４００：回転部
５００：翼部
【図１】
2020093105.tif 000003
【図２】
2020093105.tif 000004
【図３】
2020093105.tif 000005
【図４】
2020093105.tif 000006
【図５】
2020093105.tif 000007
【図６】
2020093105.tif 000008